(57)【特許請求の範囲】
【請求項１】
ディジタル放送波を受信して所望の番組を選択する選択手段と、
上記選択された番組のディジタルコンテンツデータと当該番組の付加データとが多重化されたデータストリームの上記ディジタルコンテンツデータをデコードすることにより上記番組の番組映像を復元する番組映像処理手段と、
上記選択された番組の上記付加データに含まれる番組説明情報に基づいて番組説明画面を生成し、上記番組映像に当該番組説明画面をスーパーインポーズして所定の表示部に表示する番組説明画面生成手段と、
上記データストリームを、所定の記録再生装置で記録するために当該記録再生装置へ送信し、当該記録再生装置において再生された上記データストリームを当該記録再生装置から受信する送受信手段と、
上記送受信手段により当該記録再生装置から受信した上記データストリームの上記ディジタルコンテンツデータを上記番組映像処理手段へ供給すると共に、当該データストリームの上記付加データに含まれる上記番組説明情報を上記番組説明画面生成手段へ供給する供給手段と
を具え、
上記番組説明画面生成手段は、上記送受信手段を介して当該記録再生装置から受信した上記データストリームの上記ディジタルコンテンツデータを上記番組映像処理手段によってデコードすることにより得られる上記番組の再生映像を復元処理中、当該記録再生装置から受信した上記番組説明情報に基づき上記再生映像に重ねて表示するための再生番組説明画面を生成し、これを上記再生映像にスーパーインポーズして表示する場合、当該再生番組説明画面にとって上記記録再生装置の再生時には無関係な情報を省き、再生結果であることを示す情報及び上記番組を提供している提供事業者を示す情報を当該再生番組説明画面の中で提示する
番組受信装置。
【請求項２】
ディジタル放送波を受信して所望の番組を選択手段により選択する選択ステップと、
上記選択された番組のディジタルコンテンツデータと当該番組の付加データとが多重化されたデータストリームの上記ディジタルコンテンツデータを番組映像処理手段によってデコードすることにより上記番組の番組映像を復元する番組映像処理ステップと、
上記選択された番組の上記付加データに含まれる番組説明情報に基づいて番組説明画面生成手段により番組説明画面を生成し、上記番組映像に当該番組説明画面をスーパーインポーズして所定の表示部に表示する番組説明画面生成ステップと、
上記データストリームを、送受信手段により、所定の記録再生装置で記録するために当該記録再生装置へ送信し、当該記録再生装置において再生された上記データストリームを当該記録再生装置から受信する送受信ステップと、
上記送受信ステップにより当該記録再生装置から受信した上記データストリームの上記ディジタルコンテンツデータを、供給手段により、上記番組映像処理手段へ供給すると共に、当該データストリームの上記付加データに含まれる上記番組説明情報を上記番組説明画面生成手段へ供給する供給ステップと、
上記送受信手段を介して当該記録再生装置から受信した上記データストリームの上記ディジタルコンテンツデータを上記番組映像処理手段によってデコードすることにより得られる上記番組の再生映像を復元処理中、上記番組説明画面生成手段により、当該記録再生装置から受信した上記番組説明情報に基づき上記再生映像に重ねて表示するための再生番組説明画面を生成し、これを上記再生映像にスーパーインポーズして表示する場合、当該再生番組説明画面にとって上記記録再生装置の再生時には無関係な情報を省き、再生結果であることを示す情報及び上記番組を提供している提供事業者を示す情報を当該再生番組説明画面の中で提示する再生番組説明画面表示処理ステップと
を有する番組説明画面の表示処理方法。
【発明の詳細な説明】
【０００１】
【発明の属する技術分野】
本発明は番組受信装置及び番組説明画面の表示処理方法に関し、例えばディジタル衛星放送システムにおける受信復号装置に適用して好適なものである。
【０００２】
【従来の技術】
従来、ディジタル衛星放送システムにおいては、数百チャンネルもの番組をユーザに提供しており、通信衛星のトランスポンダから放送される放送電波を受信復号装置（以下、これをＩＲＤ(Integrated Receiver Decoder) と呼ぶ）で受信し、選択したチャンネルの番組データを復号することにより、その番組の映像及び音声をモニタから出力するようになされている。
【０００３】
またＩＲＤにおいては、例えばＣＳ(Communications Satellite)放送、ＢＳ(Broadcasting Satellite)放送、地上波放送等のディジタル放送の番組データを受信すると共に、番組の内容に関する説明がなされた番組説明情報を受信しており、リモコンに設けられた番組説明ボタンがユーザによって押下されたときに、番組説明情報に対してグラフィックス処理を施すことにより番組説明画面を生成し、これをモニタに表示するようになされている。
【０００４】
このようなＩＲＤにおいて受信した番組データ及び番組説明情報を例えばビデオテープに記録する場合、ＩＲＤは受信した番組データ及び番組説明情報を復号してアナログビデオ信号に変換した後、これを同軸ケーブル等を介してアナログのビデオテープレコーダ（以下、これをＶＴＲと呼ぶ）に出力し、当該ＶＴＲによってビデオテープに記録する。
【０００５】
【発明が解決しようとする課題】
ところでかかる構成のＩＲＤにおいては、ディジタルデータの入出力ポートが存在していないので、ＩＲＤにおいて受信した番組データ及び番組説明情報をＶＴＲによってビデオテープに記録する場合、上述のようにＩＲＤによって番組データ及び番組説明情報を一度アナログビデオ信号に変換した後にＶＴＲによりビデオテープに記録せざるを得ず、処理工程が複雑になると共に、高画質なディジタル記録を実行し得ないという問題があった。
【０００６】
本発明は以上の点を考慮してなされたもので、受信した番組説明情報を記録した後に再生したとき、受信番組説明画面と同様の高画質な再生番組説明画面を表示し得る簡易な構成の番組受信装置及び番組説明画面の表示処理方法を提案しようとするものである。
【０００７】
【課題を解決するための手段】
かかる課題を解決するため本発明においては、ディジタル放送波を受信して所望の番組を選択する選択手段と、選択された番組のディジタルコンテンツデータと当該番組の付加データとが多重化されたデータストリームのディジタルコンテンツデータをデコードすることにより番組の番組映像を復元する番組映像処理手段と、選択された番組の付加データに含まれる番組説明情報に基づいて番組説明画面を生成し、番組映像に当該番組説明画面をスーパーインポーズして所定の表示部に表示する番組説明画面生成手段と、データストリームを、所定の記録再生装置で記録するために当該記録再生装置へ送信し、当該記録再生装置において再生されたデータストリームを当該記録再生装置から受信する送受信手段と、送受信手段により当該記録再生装置から受信したデータストリームのディジタルコンテンツデータを番組映像処理手段へ供給すると共に、当該データストリームの付加データに含まれる番組説明情報を番組説明画面生成手段へ供給する供給手段とを具え、番組説明画面生成手段は、送受信手段を介して当該記録再生装置から受信したデータストリームのディジタルコンテンツデータを番組映像処理手段によってデコードすることにより得られる番組の再生映像を復元処理中、当該記録再生装置から受信した番組説明情報に基づき再生映像に重ねて表示するための再生番組説明画面を生成し、これを再生映像にスーパーインポーズして表示する場合、当該再生番組説明画面にとって記録再生装置の再生時には無関係な情報を省き、再生結果であることを示す情報及び番組を提供している提供事業者を示す情報を当該再生番組説明画面の中で提示するようにした。
これにより、番組受信装置で受信したデータストリームを記録再生装置により記録した後に再生したとき、それを当該記録再生装置から受け取り、ディジタルコンテンツデータを当該番組受信装置の番組映像処理手段を用いてデコードすることにより番組の再生映像を復元し、当該番組受信装置の番組説明画面生成手段を用いて番組説明情報に基づき再生番組説明画面を生成した後、その再生番組説明画面を再生映像にスーパーインポーズして表示することが出来ると共に、記録再生装置の再生時には無関係な情報を再生番組説明画面から省き、再生結果であることを示す情報及び番組を提供している提供事業者を示す情報を当該再生番組説明画面の中で提示することができるので、番組映像処理手段及び番組説明画面生成手段を共有化して効率良く処理を実行し得ると共に、番組映像を表示中の番組説明画面と再生映像を表示中の再生番組説明画面との違いをユーザに認識させながら、再生番組説明画面を介して番組説明情報だけでなく提供事業者についても目視確認させることができる。
【０００８】
また、本発明においては、ディジタル放送波を受信して所望の番組を選択手段により選択する選択ステップと、選択された番組のディジタルコンテンツデータと当該番組の付加データとが多重化されたデータストリームのディジタルコンテンツデータを番組映像処理手段によってデコードすることにより番組の番組映像を復元する番組映像処理ステップと、選択された番組の付加データに含まれる番組説明情報に基づいて番組説明画面生成手段により番組説明画面を生成し、番組映像に当該番組説明画面をスーパーインポーズして所定の表示部に表示する番組説明画面生成ステップと、データストリームを、送受信手段により、所定の記録再生装置で記録するために当該記録再生装置へ送信し、当該記録再生装置において再生されたデータストリームを当該記録再生装置から受信する送受信ステップと、送受信ステップにより当該記録再生装置から受信したデータストリームのディジタルコンテンツデータを、供給手段により、番組映像処理手段へ供給すると共に、当該データストリームの付加データに含まれる番組説明情報を番組説明画面生成手段へ供給する供給ステップと、送受信手段を介して当該記録再生装置から受信したデータストリームのディジタルコンテンツデータを番組映像処理手段によってデコードすることにより得られる番組の再生映像を復元処理中、番組説明画面生成手段により、当該記録再生装置から受信した番組説明情報に基づき再生映像に重ねて表示するための再生番組説明画面を生成し、これを再生映像にスーパーインポーズして表示する場合、当該再生番組説明画面にとって記録再生装置の再生時には無関係な情報を省き、再生結果であることを示す情報及び番組を提供している提供事業者を示す情報を当該再生番組説明画面の中で提示する再生番組説明画面表示処理ステップとを有するようにする。
これにより、番組受信装置で受信したデータストリームを記録再生装置により記録した後に再生したとき、それを当該記録再生装置から受け取り、ディジタルコンテンツデータを当該番組受信装置の番組映像処理手段を用いてデコードすることにより番組の再生映像を復元し、当該番組受信装置の番組説明画面生成手段を用いて番組説明情報に基づき再生番組説明画面を生成した後、その再生番組説明画面を再生映像にスーパーインポーズして表示することが出来ると共に、記録再生装置の再生時には無関係な情報を再生番組説明画面から省き、再生結果であることを示す情報及び番組を提供している提供事業者を示す情報を当該再生番組説明画面の中で提示することができるので、番組映像処理手段及び番組説明画面生成手段を共有化して効率良く処理を実行し得ると共に、番組映像を表示中の番組説明画面と再生映像を表示中の再生番組説明画面との違いをユーザに認識させながら、再生番組説明画面を介して番組説明情報だけでなく提供事業者についても目視確認させることができる。
【０００９】
【発明の実施の形態】
以下図面について、本発明の一実施の形態を詳述する。
【００１０】
図１において、１は全体としてディジタルデータ記録再生システムを示し、アンテナ２、本発明の番組受信装置としてのＩＲＤ３、ＩＥＥＥ(The Instutite of Electrical and Electronics Engineers) １３９４ケーブル４及びディジタルビデオテープレコーダ（以下、これをディジタルＶＴＲと呼ぶ）５によって構成されている。
【００１１】
ディジタルデータ記録再生システム１は、受信した番組データをリアルタイムで復号してモニタ１５に直接表示する受信モードの場合、通信衛星（図示せず）からの放送電波をアンテナ２によって受信し、これをＩＲＤ３の受信選択部８０におけるチューナ７に送出する。ＩＲＤ３は、ＣＰＵ６の制御に基づいて各回路が動作するようになされており、チューナ７によって選択されたトランスポンダからの受信信号Ｓ１をフロントエンド部８に送出する。
【００１２】
フロントエンド部８は、受信信号Ｓ１を復調し、その結果得られる受信データに対して誤り訂正処理を施した後、これを受信データストリームＤ２としてデスクランブル回路９に送出する。デスクランブル回路９は、ＩＲＤ３本体に差し込まれたＩＣカード（図示せず）に記憶されている暗号キー情報に基づいて、受信データストリームＤ２をデスクランブルし、その結果得られる受信データストリームＤ３をデマルチプレクサ１０に送出する。
【００１３】
デマルチプレクサ１０は、受信データストリームＤ３からユーザによって指定されたチャンネルの番組データを取り出し、その番組データにおける映像部分のパケットからなるビデオストリームＤ４をＭＰＥＧビデオデコーダ及びグラフィックス回路１１に送出すると共に、音声部分のパケットからなるオーディオストリームＤ５をＭＰＥＧオーディオデコーダ１２に送出する。
【００１４】
ＭＰＥＧビデオデコーダ及びグラフィックス回路１１は、ビデオストリームＤ４をデコードすることにより、圧縮符号化前のビデオデータＤ７を復元し、これをＮＴＳＣ(National Television System Committee)エンコーダ１３に送出する。
【００１５】
ＮＴＳＣエンコーダ１３は、ビデオデータＤ７をＮＴＳＣ方式の輝度信号及び色差信号に変換し、これをＮＴＳＣデータＤ８としてディジタルアナログ変換回路１４に送出する。ディジタルアナログ変換回路１４は、ＮＴＳＣデータＤ８をアナログ信号Ｓ９に変換し、これをモニタ１５に番組映像として出力する。
【００１６】
ＭＰＥＧオーディオデコーダ１２は、オーディオストリームＤ５をデコードすることにより、圧縮符号化前のＰＣＭ(Pulse Code Modulation) オーディオデータＤ１０を復元し、これをディジタルアナログ変換回路１６に送出する。
【００１７】
ディジタルアナログ変換回路１６は、ＰＣＭオーディオデータＤ１０をアナログ信号に変換することにより、Ｌチャンネルオーディオ信号Ｓ１１Ａ及びＲチャンネルオーディオ信号Ｓ１１Ｂを生成し、これをモニタ１５のスピーカ（図示せず）を介して番組音声として出力する。
【００１８】
ところでＩＲＤ３においては、リモコン３０の番組説明ボタン（図示せず）がユーザによって押下され、リモコン３０から赤外線によって出力された番組説明画面要求データを赤外線受光部３１が受光すると、これをＣＰＵ６に送出する。
【００１９】
このときＣＰＵ６は、番組説明画面要求データに基づいてデマルチプレクサ１０とＭＰＥＧビデオデコーダ及びグラフィックス回路１１とを制御する。つまりデマルチプレクサ１０では、番組説明情報が記述されたパケットからなる番組説明情報ストリームを抽出し、受信番組説明画面生成手段としてのＭＰＥＧビデオデコーダ及びグラフィックス回路１１に供給してグラフィックス処理を施す。
【００２０】
このようにＭＰＥＧビデオデコーダ及びグラフィックス回路１１は、グラフィックス処理を施すことにより得られる受信番組説明画面を、受信しているチャンネルのビデオデータにスーパーインポーズしてＮＴＳＣエンコーダ１３に送出する。
【００２１】
その結果、図２に示すように受信番組説明画面５０が番組映像の上に重ねられた状態で表示手段としてのモニタ１５に表示される。
【００２２】
ここで受信番組説明画面５０は、ＩＲＤ３が受信している例えば250 チャンネルの「ブルーバーグ  ニュース」として、例えば映像１（正面アングル）、映像２（右アングル）、映像３（左アングル）、音声１（日本語）、音声２（英語）、音声３（仏語）、データ１（英訳文）、データ２（仏訳文）、データ３（伊訳文）が放送されていることを表している。
【００２３】
従って視聴者は、この受信番組説明画面５０を確認して所望のアングル、音声及び訳文をリモコン３０によって選択した後に確定ボタン５１を押下する。これによりＩＲＤ３のＣＰＵ６は、ＭＰＥＧビデオデコーダ及びグラフィックス回路１１を制御して番組説明情報ストリームに対してグラフィックス処理を施すことにより、「ブルーバーグ  ニュース」の具体的な内容の説明文が記載された受信内容表示画面５５を生成し、受信番組説明画面５０から受信内容表示画面５５に切り替えてモニタ１５に表示する。
【００２４】
受信内容表示画面５５は、「ブルーバーグ  ニュース」がどのような時間間隔で何時から何時まで放送されているのか、また放送するニュースの内容がどのようなものなのかを示しており、課金金額の有無や年齢制限の有無を示す課金アイコン５６及び年齢制限アイコン５７が右上部分に表示されると共に、自動的に受信を停止するオフタイマーの設定を行うための「オフタイマー」ボタン５８が中央上部に表示されている。
【００２５】
さらに受信番組説明画面５０及び受信内容表示画面５５には、右下部分に放送サービス事業者のロゴ６１が表示され、「ブルーバーグ  ニュース」がどこの放送サービス事業者から放送されているものかを表している。
【００２６】
ここで視聴者が、受信内容表示画面５５の「信号切換」ボタン５９を選択した場合、ＩＲＤ３のＣＰＵ６は、ＭＰＥＧビデオデコーダ及びグラフィックス回路１１を制御して受信番組説明画面５０に戻すようになされている。また視聴者が、受信内容表示画面５５の「戻る」ボタン６０を選択した場合、ＩＲＤ３のＣＰＵ６は、ＭＰＥＧビデオデコーダ及びグラフィックス回路１１を制御して受信内容表示画面５５から番組映像にモニタ１５の表示を戻すようになされている。
【００２７】
実際上、受信番組説明画面５０としては図３及び図４に示すように、250 チャンネルの「ブルーバーグ  ニュース」では映像として「映像１」の１種類、音声として「テレビ音声」、「NEWS RADIO」の２種類が放送されており、210 チャンネルの「東京テレビ：ザ・ワイドショー」では、映像として「映像１」の１種類、音声として「STEREO」の１種類が放送されている。
【００２８】
次にディジタルデータ記録再生システム１において、受信した番組データをディジタルＶＴＲ５に送出してビデオテープ２３に記録する記録モードの場合、デマルチプレクサ１０は記録すべき番組のビデオパケットとオーディオパケットと付加情報パケットとが含まれたストリームを送受信部８２のＩＥＥＥ１３９４インターフェース１７に送出する。
【００２９】
またＣＰＵ６は、ユーザのリモコン３０の操作によって番組データの記録指示がなされると、ディジタルＶＴＲ５の記録動作を制御する記録制御データＳ１５を生成し、これをＩＥＥＥ１３９４インターフェース１７に送出する。
【００３０】
ＩＥＥＥ１３９４インターフェース１７は、デマルチプレクサ１０から受信したストリームをＩＥＥＥ１３９４ケーブル４及びディジタルＶＴＲ５のＩＥＥＥ１３９４インターフェース１９を介して誤り訂正符号化回路２０に送出すると共に、記録制御データＳ１５をＩＥＥＥ１３９４ケーブル４及びＩＥＥＥ１３９４インターフェース１９を介してＣＰＵ１８に送出する。
【００３１】
ディジタルＶＴＲ５は、ＣＰＵ１８の制御に基づいて各回路が動作するようになされている。誤り訂正符号化回路２０は、記録制御データＳ１５に基づいて、ＩＥＥＥ１３９４インターフェース１９から受信したストリームに対して誤り訂正符号を付加する。
【００３２】
誤り訂正符号が付加されたストリームＤ１６は、スイッチ回路２１を介して記録系２２に送出される。記録系２２は、磁気ヘッドでなり、誤り訂正符号が付加されたストリームＤ１６を記録媒体としてのビデオテープ２３に記録する。
【００３３】
すなわちディジタルＶＴＲ５は、ＩＥＥＥ１３９４インターフェース１９から受信したストリームに対して誤り訂正符号を付加した後にビデオテープ２３に記録することにより、番組説明情報などの付加情報が記述されたパケットについてもビデオテープ２３に記録されることになる。
【００３４】
ここで、記録されるストリームに必ず含まれる付加情報としては、記録される番組に関連するＰＡＴ(Program Association Table) 、ＰＭＴ(Program Map Table) と、記録される番組の放送サービス事業者のネットワーク情報と、著作権情報、パーシャルトランスポートストリームであることを示す情報と、ストリームの不連続点を示す情報などである。
【００３５】
またオプション的に記録される付加情報としては、記録される番組データの名称、本発明において記録される番組データの番組説明情報、記録される番組データの放送時刻及び放送時間情報（例えば、1998年10月23日12時00分から１時間放送）及び番組の年齢制限情報等がある。
【００３６】
因みに記録されない付加情報としては、デスクランブルを行うための鍵情報としてのＣＡ(Conditional Access)情報、ＰＡＴ／ＰＭＴ以外の放送で流れてくる各種テーブル情報としてＮＩＴ(Network Information Table) 、ＳＤＴ(Service Description Table) 、ＥＩＴ(Event Information Table) 、ＣＡＴ(Conditional Access Table)、ＴＤＴ(Time Description Table)、及びスクランブルの解除されていないストリーム等がある。
【００３７】
またディジタルＶＴＲ５は、ＩＲＤ３経由でなく、テレビのアナログチューナ（図示せず）経由で外部入力端子３２に入力された映像信号やアナログチューナ２７によって受信された映像・音声信号を記録することができる。
【００３８】
アナログチューナ２７又は外部入力端子３２から供給された映像・音声信号は、信号処理部２８によって所定の信号処理が施され、スイッチ回路２１を介して記録系２２に送出される。記録系２２は、信号処理部２８からの信号をビデオテープ２３にアナログ記録する。
【００３９】
次にディジタルデータ記録再生システム１において、ディジタルＶＴＲ５を介してビデオテープ２３に記録したストリームを再生する再生モードの場合、磁気ヘッドでなる再生系２４によってビデオテープ２３を再生することにより再生符号化ストリームＤ２０を得、これをスイッチ回路２５を介して誤り訂正復号回路２６に送出する。
【００４０】
誤り訂正復号回路２６は、再生符号化ストリームＤ２０に対して誤り訂正復号処理を施し、これをストリームＤ２３としてＩＥＥＥ１３９４インターフェース１９に送出する。
【００４１】
ＩＥＥＥ１３９４インターフェース１９は、ＣＰＵ１８の制御に基づいて誤り訂正されたストリームＤ２３をＩＥＥＥ１３９４ケーブル４からＩＲＤ３のＩＥＥＥ１３９４インターフェース１７を経由してデマルチプレクサ１０に供給する。デマルチプレクサ１０では、ＩＥＥＥ１３９４インターフェース１７から受信したストリームＤ２３中のパケットのＰＩＤを参照して、ビデオパケットをＭＰＥＧビデオデコーダ及びグラフィックス回路１１に供給すると共に、オーディオパケットをＭＰＥＧオーディオデコーダ１２に供給する。
【００４２】
ＭＰＥＧビデオデコーダ及びグラフィックス回路１１は、ＣＰＵ６の制御に基づいてデマルチプレクサ１０から供給されたビデオパケットをデコードすることにより、圧縮符号化前の再生ビデオデータＤ２６を復元し、これをＮＴＳＣエンコーダ１３に送出する。
【００４３】
ＮＴＳＣエンコーダ１３は、再生ビデオデータＤ２６をＮＴＳＣ方式の輝度信号及び色差信号に変換し、これを再生ＮＴＳＣデータＤ２７としてディジタルアナログ変換回路１４に送出する。ディジタルアナログ変換回路１４は、再生ＮＴＳＣデータＤ２７をアナログ信号Ｓ２８に変換し、これをモニタ１５に再生映像として出力する。
【００４４】
ＭＰＥＧオーディオデコーダ１２は、ＣＰＵ６の制御に基づいてデマルチプレクサ１０から供給されたオーディオパケットをデコードすることにより、圧縮符号化前のＰＣＭオーディオデータＤ２９を復元し、これをディジタルアナログ変換回路１６に送出する。
【００４５】
ディジタルアナログ変換回路１６は、ＰＣＭオーディオデータＤ２９をアナログ信号化することにより、Ｌチャンネルオーディオ信号Ｓ３０Ａ及びＲチャンネルオーディオ信号Ｓ３０Ｂを生成し、これをモニタ１５のスピーカ（図示せず）を介して音声として出力する。
【００４６】
ここでＩＲＤ３は、再生時にユーザによってリモコン３０の番組説明ボタン（図示せず）が押下され、リモコン３０から赤外線によって出力された番組説明画面要求データを赤外線受光部３１が受光すると、これをＣＰＵ６に送出する。
【００４７】
このときＣＰＵ６は、番組説明画面要求データに基づいてデマルチプレクサ１０とＭＰＥＧビデオデコーダ及びグラフィックス回路１１を制御し、ＩＥＥＥ１３９４インターフェース１７を介して受信したストリームのうち、付加情報として番組説明情報が記述されたパケットをＭＰＥＧビデオデコーダ及びグラフィックス回路１１に供給する。
【００４８】
ＭＰＥＧビデオデコーダ及びグラフィックス回路１１では、パケット中の番組説明情報をグラフィックス処理することにより再生用の番組説明画面データＤ３１を生成し、これを再生ビデオデータＤ２６にスーパーインポーズする。このスーパーインポーズされた信号は、ＮＴＳＣエンコーダ１３に送出される。
【００４９】
ＮＴＳＣエンコーダ１３は、スーパーインポーズされた信号をＮＴＳＣ方式の輝度信号及び色差信号に変換し、これを再生ＮＴＳＣデータＤ３２としてディジタルアナログ変換回路１４に送出する。ディジタルアナログ変換回路１４は、再生ＮＴＳＣデータＤ３２を再生アナログ信号Ｓ３３に変換し、これを図５に示すような再生番組説明画面７０としてモニタ１５に表示するようになされている。
【００５０】
このとき再生番組説明画面７０は、放送データをリアルタイムに表示したときの受信番組説明画面５０（図２）とほぼ同一のＧＵＩ(Graphical User Interface)画面としてモニタ１５に表示されるが、放送データをリアルタイムに表示したときの受信番組説明画面５０と、再生番組説明画面７０とを視聴者が容易に区別し得るように、再生番組説明画面７０の右上部に「再生中」と書かれた文字キャラクタ７１を表示すると共に、放送サービス事業者のロゴ７８を表示する。
【００５１】
また再生番組説明画面７０において、「確定」ボタン７２が視聴者によって押下された場合、ＩＲＤ３のＣＰＵ６は、ＭＰＥＧビデオデコーダ及びグラフィックス回路１１によってグラフィックス処理を施すことにより、「ブルーバーグニュース」の具体的な内容の説明文が記載された再生内容表示画面７５を生成し、再生番組説明画面７０から再生内容表示画面７５に切り替えてモニタ１５に表示する。
【００５２】
この場合ＣＰＵ６は、再生内容表示画面７５においても右上部に「再生中」と書かれた文字キャラクタ７６と放送サービス事業者のロゴ７７を表示する。またＣＰＵ６は、再生内容表示画面７５において課金金額の有無や年齢制限の有無を示すアイコンや、自動的に受信を停止するオフタイマーの設定を行うための「オフタイマー」ボタンを表示しないが、右下部分に放送サービス事業者のロゴ７７については表示するようになされている。
【００５３】
つまり、課金金額の有無や年齢制限の有無を示すアイコンや、自動的に受信を停止するオフタイマーの設定を行うための「オフタイマー」ボタンは、ディジタルＶＴＲ５の再生時には不要なものであるため、ユーザの混乱を招かないように表示されなくなっている。
【００５４】
図６は、ＣＰＵ６の処理を示すフローチャートであり、ステップＳＰ１の開始ステップから入ってステップＳＰ２に移る。ステップＳＰ２においてＣＰＵ６は、現在のモードが受信モードであるか否かを判断する。ここで受信モードであると判断した場合、ＣＰＵ６はステップＳＰ３に移り、課金アイコン５６、年齢制限アイコン５７、オフタイマーボタン５８の表示がオンとなるようにＭＰＥＧビデオデコーダ及びグラフィックス回路１１を制御し、次のステップＳＰ６に移って処理を終了する。
【００５５】
一方、ステップＳＰ２において受信モードではないと判断された場合（つまり再生モード）には、ステップＳＰ４に移り、課金アイコン５６、年齢制限アイコン５７、オフタイマーボタン５８の表示がオフとなるようにＭＰＥＧビデオデコーダ及びグラフィックス回路１１を制御する。
【００５６】
その後、ＣＰＵ６はステップＳＰ５に移り、「再生中」という文字キャラクタが表示されるようにＭＰＥＧビデオデコーダ及びグラフィックス回路１１を制御し、次のステップＳＰ６に移って処理を終了する。
【００５７】
以上の構成において、記録モード時にＩＲＤ３では、指定したチャンネルの番組に関する映像部分のパケット及び音声部分のパケットからなるストリームを、ＩＥＥＥ１３９４ケーブル４経由でディジタルＶＴＲ５に送出してビデオテープ２３にディジタル記録する。
【００５８】
このとき、付加情報として番組説明情報が記述されたパケットについてもビデオテープ２３にディジタル記録される。
【００５９】
再生モード時にＩＲＤ３では、ビデオテープ２３から再生したストリームを、ＩＥＥＥ１３９４ケーブル４及びデマルチプレクサ１０経由で再びＩＲＤ３のＭＰＥＧビデオデコーダ及びグラフィックス回路１１及びＭＰＥＧオーディオデコーダ１２に送り返す。
【００６０】
ＩＲＤ３は、ユーザによってリモコン３０の番組説明ボタンが押下された場合、受信モードのときと同様にＭＰＥＧビデオデコーダ及びグラフィックス回路１１を用いて、ディジタルＶＴＲ５から送り返されたストリームＤ２３のうち付加情報として番組説明情報が記述されたパケット中の番組説明情報をグラフィックス処理することによりモニタ１５に再生番組説明画面７０として表示する。
【００６１】
このようにＩＲＤ３は、ＩＥＥＥ１３９４ケーブル４を介してディジタルＶＴＲ５と接続され、受信モード及び再生モードにおいてＭＰＥＧビデオデコーダ及びグラフィックス回路１１を共通に使用して番組説明情報をグラフィックス処理し、受信モードの処理と再生モードの処理との違いを最小限にすることで効率良くグラフィックス処理を行っている。また、番組説明情報はビデオテープにディジタル記録されるので、再生番組説明画面７０（図５）を受信番組説明画面５０（図２）と同様の高画質なＧＵＩ画面としてモニタ１５に表示される。
【００６２】
またディジタルデータ記録再生システム１は、再生モードにおいてモニタ１５にＧＵＩ画面として表示する再生番組説明画面７０及び再生内容表示画面７５（図５）の右上部分に「再生中」のキャラクタ文字７１及び７６を表示するようにしたことにより、受信モード及び再生モードにおいて同一のＧＵＩ画面として表示する受信番組説明画面５０及び受信内容表示画面５５（図２）と、再生番組説明画面７０及び再生内容表示画面７５とをユーザに容易に判別させることができる。
【００６３】
以上の構成によれば、再生番組説明画面７０と受信番組説明画面５０との違いを最小限に押さえることで効率良くグラフィックス処理を行うことができる。
【００６４】
なお上述の実施の形態においては、再生番組説明画面７０及び再生内容表示画面７５（図５）の右上部分に「再生中」のキャラクタ文字７１及び７６を表示するようにした場合について述べたが、本発明はこれに限らず、ビデオテープ２３を再生することにより得られる再生番組説明画面７０及び再生内容表示画面７５であることをユーザに容易に認識させるものであれば、「再生映像」と書かれたキャラクタ文字、ビデオテープのマーク等の他の種々の再生表示キャラクタを用いるようにしても良い。
【００６５】
また上述の実施の形態においては、ディジタルデータ記録再生システム１においてはＩＲＤ３からのストリームをＩＥＥＥ１３９４ケーブル４を介してディジタルＶＴＲ５に送出してビデオテープ２３に記録するようにした場合について述べたが、本発明はこれに限らず、光磁気ディスク記録再生装置に装填された光磁気ディスクに記録する等、他の種々の記録再生手段を介して所定の記録媒体に記録するようにしても良い。
【００６６】
さらに上述の実施の形態においては、ストリームとしてビデオパケットとオーディオパケットと付加情報パケットとが多重化されたものをディジタルＶＴＲ５に記録するようにしたが、ストリームとしてオーディオパケットと付加情報パケットとが多重化されたものを例えば光磁気ディスクであるミニディスク（商標）やＣＤーＲ(Compact Disc Recordable) に記録するようにしても良い。
【００６７】
さらに上述の実施の形態においては、送受信手段としてのＩＥＥＥ１３９４インターフェース１７、ＩＥＥＥ１３９４ケーブル４及びＩＥＥＥ１３９４インターフェース１９を介してストリームをディジタルＶＴＲ５に送信するようにした場合について述べたが、本発明はこれに限らず、ディジタルデータを高速で送信し得れば無線による送受信手段を用いるようにしても良い。
【００６８】
【発明の効果】
上述のように本発明によれば、番組受信装置で受信したデータストリームを記録再生装置により記録した後に再生したとき、それを当該記録再生装置から受け取り、ディジタルコンテンツデータを当該番組受信装置の番組映像処理手段を用いてデコードすることにより番組の再生映像を復元し、当該番組受信装置の番組説明画面生成手段を用いて番組説明情報に基づき再生番組説明画面を生成した後、その再生番組説明画面を再生映像にスーパーインポーズして表示することが出来ると共に、記録再生装置の再生時には無関係な情報を再生番組説明画面から省き、再生結果であることを示す情報及び番組を提供している提供事業者を示す情報を当該再生番組説明画面の中で提示することができるので、番組映像処理手段及び番組説明画面生成手段を共有化して効率良く処理を実行し得ると共に、番組映像を表示中の番組説明画面と再生映像を表示中の再生番組説明画面との違いをユーザに認識させながら、再生番組説明画面を介して番組説明情報だけでなく提供事業者についても目視確認させ得る番組受信装置を実現することができる。
【００６９】
また、本発明によれば、これにより、番組受信装置で受信したデータストリームを記録再生装置により記録した後に再生したとき、それを当該記録再生装置から受け取り、ディジタルコンテンツデータを当該番組受信装置の番組映像処理手段を用いてデコードすることにより番組の再生映像を復元し、当該番組受信装置の番組説明画面生成手段を用いて番組説明情報に基づき再生番組説明画面を生成した後、その再生番組説明画面を再生映像にスーパーインポーズして表示することが出来ると共に、記録再生装置の再生時には無関係な情報を再生番組説明画面から省き、再生結果であることを示す情報及び番組を提供している提供事業者を示す情報を当該再生番組説明画面の中で提示することができるので、番組映像処理手段及び番組説明画面生成手段を共有化して効率良く処理を実行し得ると共に、番組映像を表示中の番組説明画面と再生映像を表示中の再生番組説明画面との違いをユーザに認識させながら、再生番組説明画面を介して番組説明情報だけでなく提供事業者についても目視確認させ得る番組説明画面の表示処理方法を実現することができる。
【図面の簡単な説明】
【図１】本発明によるディジタルデータ記録再生装置の構成を示すブロック図である。
【図２】番組説明画面及び内容表示画面を示す略線図である。
【図３】番組説明画面における実際の表示例１を示す略線図である。
【図４】番組説明画面における実際の表示例２を示す略線図である。
【図５】再生番組説明画面及び再生内容表示画面を示す略線図である。
【図６】受信番組説明画面を再生番組説明画面を表示処理するときのＣＰＵの処理手順を示すフローチャートである。
【符号の説明】
１……ディジタルデータ記録再生装置、３……ＩＲＤ、４……ＩＥＥＥ１３９４ケーブル、５……ディジタルＶＴＲ、６、１８……ＣＰＵ、１１……ＭＰＥＧビデオデコーダ及びグラフィックス回路、１７、１９……ＩＥＥＥ１３９４インターフェース、２２……記録系、２４……再生系、２３……ビデオテープ。
【図１】
0004310669.tif 000002
【図２】
0004310669.tif 000003
【図３】
0004310669.tif 000004
【図４】
0004310669.tif 000005
【図５】
0004310669.tif 000006
【図６】
0004310669.tif 000007